(57)【特許請求の範囲】
【請求項１】
ＤＶＤやビデオテープ等を収容した貸出しケース、又はコミック雑誌などを入れてレンタルショップの棚に陳列するレンタル用カバーケースにおいて、薄い樹脂製シートを折り曲げ成形した長方形筒形の外側部下端にベース部材を取付け、さらに透明フイルムから成るカバーシートを外側部表面に張着してカバーし、上記ベース部材は互いに屈曲可能に繋がれた正面ブロックと両側面ブロックの３ピース構造とし、正面ブロックは外側部の正面部下端に固定され、側面ブロックは外側部の側面部下端に固定し、さらにベース部材にロック手段を設けると共に、外側部の背面部上側にはカギを取付けて開かないようにロックしたことを特徴とするレンタル用カバーケース。
【請求項２】
上記カギは両アームと一方側アーム先端に係止部を設け、外側部の両背面部先端から垂直に起立して設けた連結片の挟持片を両アームにて挟み込んだ請求項１記載のレンタル用カバーケース。
【発明の詳細な説明】
【技術分野】
【０００１】
本発明はコミックなどの雑誌、ビデオテープ、ＣＤ，ＤＶＤ等の記録媒体等をレンタルショップの陳列棚に配列してレンタルする為のレンタル用カバーケースに関するものである。
【背景技術】
【０００２】
音楽や映像を記録したＣＤ，ＤＶＤ等の円盤状記録媒体(ディスク)、ビデオテープ、貸出しケースに収納された状態でレンタルされる。そして、該貸出しケースはレンタル用カバーケースに入れられてレンタルショップの陳列棚に配列されている。図１０は従来から周知であるビデオテープのレンタル形態を示している場合であるが、レンタル用カバーケース(イ)には上端が開口していて、この上端開口からビデオテープを収納している貸出しケース(ロ)が収容されている。この場合、貸出しケース(ロ)の上端部はレンタル用カバーケース(イ)から上方へ突出している。
【０００３】
ところで、上記レンタル用カバーケース(イ)は樹脂を材質として射出成形されるが、図１１は該レンタル用カバーケース(イ)の展開図を示している。レンタル用カバーケース(イ)はケース本体(ハ)、ケース蓋(ニ)、及び繋ぎ部(ホ)から成って、ケース蓋(ニ)をケース本体(ハ)に被覆して閉じることで箱型容器となり、上端開口から貸出しケース(ロ)が収容され得る。そして、ケース本体(ハ)の底部には貸出しケース(ロ)が載って支持される底板(ヘ)が取付けられている。
【０００４】
該レンタル用カバーケース(イ)は射出成形され、外表面には表紙を挿入する為の透明シートが熱溶着されている。レンタル用カバーケース(イ)を所定の寸法・形状に射出成形する為には、成形用の金型が必要であり、該成形金型の製作費は高く、製品となるレンタル用カバーケースに上乗せされる。勿論、成形されたレンタル用カバーケースはその肉厚は厚くて丈夫であるが、その分だけ幅寸法は大きくなり、陳列棚に配列されるレンタル用カバーケース(イ)、(イ)・・の個数は少なくなる。
【０００５】
最近では、ＣＤやＤＶＤ等の他にコミック雑誌のレンタルも行われ、貸出しケース(ロ)の代わりにコミック雑誌をレンタル用カバーケース（イ）に上端部を突出した状態で挿入している。出願人は平成１５年３月１４日付けで薄いシートにて胴体部を形成したレンタル用カバーケースの出願を行っている（特開２００４−２７６９４７）。
【０００６】
このレンタル用カバーケースは、「ＣＤ，ＤＶＤ等の記録媒体を収納した貸出しケース、又は雑誌等の物品上端部を上方へ突出した状態で収容するレンタル用カバーケースにおいて、該レンタル用カバーケースは胴体部と台座から成り、胴体部は所定形状に裁断した板材を折り曲げた筒体であり、該胴体部に樹脂の成形品である上記台座を取着して構成している。」
薄いシートを折り曲げた胴体部の下端に成形された台座が嵌って取付けられることで、ケース全体の強度・剛性が高くなり、しかも転倒することなく安定して起立することが出来る。又、表紙は胴体部の内側に挿入されるが、胴体上端に折返し耳部に係止して外れることはない。胴体部を構成するシートは０．３〜０．５ｍｍ程度であり、収容される貸出しケースとの間に大きな隙間を残すことなく製作することで、同一サイズの陳列棚には多数のレンタル用カバーケースを配列することが出来る。
【０００７】
しかし、表紙を挿入してから折り返し耳部を内側へ折り曲げて外れないようにする作業は面倒であり、又、挿入した表紙が胴体部内面との間に隙間を形成して、該表紙の文字や模様がはっきり見えない場合も多い。
【特許文献１】特開２００４−２７６９４７号に係る「レンタル用カバーケース」
【発明の開示】
【発明が解決しようとする課題】
【０００８】
このように、従来のレンタル用カバーケースには上記のごとき問題がある。本発明が解決しようとする課題はこの問題点であり、厚さ寸法を小さくすることでより多くを陳列することが出来、しかも簡単な構造で表紙が取付けやすく、剛性が低下することがないように構成したレンタル用カバーケースを提供する。
【課題を解決するための手段】
【０００９】
本発明に係るコミック雑誌などのレンタル用カバーケースは、薄い樹脂製シートを長方形の筒形に曲げ加工した外側部、同じく透明フイルムを概略コ形に形成したカバー外側部、そしてベース部材にて構成される。ここで、ベース部材は正面ブロックと両側面ブロックの３ピースがヒンジを介して屈曲出来るように連結した構造と成っている。
【００１０】
上記長方形の筒形をした外側部は、正面部と両側面部、背面部、及び底面部を有し、背面部と底面部は２分割されて、正面部を中心として両側面部を開くことが出来る。その為に、正面部と両側面部はヒンジを介して繋がっている。ところで、上記ベース部材は外側部下端に取付けられるが、正面部の内面に正面ブロクを固定し、両底面部には側面ブロックが固定される。ただし、側面ブロックを側面部に直接固定することもある。
【００１１】
従って、外側部の下端にはベース部材が取着され、該ベース部材と共に外側部を開くことが出来る。そして、この外側部の表面にはカバーシートが重なるように先端が止着され、カバーシートと外側部表面との間には表紙を挿入することが出来る。表紙は透明なカバーシートを通して外から見えるようになる。ただし、ここでベース部材を外側部に固定する手段は限定しないことにする。
【発明の効果】
【００１２】
本発明に係るレンタル用カバーケースは薄い樹脂製シートを曲げ加工して構成する外側部と該外側部の下端に取着したベース部材、及び外側部表面には透明なカバーシートを張り合わせたものであり、従来の成形品に比べてコストが安くなり、一方では厚さ寸法が小さくなる。従って、同じ棚により多くのレンタル用カバーケースを配列することが可能と成る。
【００１３】
そして、本発明のレンタル用カバーケースは単に薄い樹脂製シートで構成することで厚さ寸法が小さくなるだけでなく、ベース部材が組み合わせて構成される為に、すなわち、正面ブロックと両側面ブロックがヒンジを介して屈曲可能に連結した３ピースで構成する該ベース部材が骨格となることで、その形状が崩れることはない。そして、両側面部を開くことでカバーシートが弛んで外側部との間に形成される隙間に表紙を挿入して嵌めることが出来る。
【実施例】
【００１４】
図１は本発明に係るレンタル用カバーケースにコミック雑誌を収容し、棚に陳列される状態であり、(ａ)は正面側から斜視図、(ｂ)は背面側からの斜視図である。上記コミック雑誌４はその上端がレンタル用カバーケースの上部開口から突出し、レンタルショップに来た客は突出しているコミック雑誌を抜き取って借りることが出来る。この貸し出しに関しては出願人の特許第２１３２８６８号に係る「ビデオテープの陳列方法及び陳列ケース」と同じであり、ここでの説明は省略する。
【００１５】
ところで、本発明のレンタル用カバーケースは、外側部１、ベース部材２、及び透明なカバーシート３にて構成されている。図２は上記外側部１を示す具体例であり、(ａ)は正面側からの斜視図、(ｂ)は背面側からの斜視図を表している。この外側部１は樹脂製のシートを曲げ加工して製作したもので、正面部５、両側面部６，６、背面部７、底面部８から成るケースであって、その上端は開口している。
【００１６】
そして、正面部５と両側面部６，６とは肉厚を薄くしたヒンジを介して繋がっていることで、両側面部６，６は開くことが出来る。その為に、上記背面部７ａ，７ｂは中央にて分離し、底面部８ａ，８ｂも中央にて分離している。背面部７ａ，７ｂの上部には、背面部７ａ，７ｂの先端縁から立ち上がって屈曲したＬ形の連結片９ａ，９ｂを設けている。
【００１７】
図３はベース部材２を示す具体例である。ベース部材２は正面ブロック１０と両側面ブロック１１，１１を有し、これら３ブロックは肉厚を薄くして形成したヒンジ１２，１２を介して屈曲可能に連結している。同図の(ａ)は３ブロックが直線状に伸びている正面側からの斜視図、(ｂ)は３ブロックが直線状に伸びている背面側からの斜視図を夫々表している。
【００１８】
そして、両側面ブロック１１，１１の下側にはスリット溝１３，１３・・・が貫通して設けられ、このスリット溝１３，１３・・に外側部１の底面部８ａ，８ａ，８ｂ，８ｂ・・が嵌入して取付けられる。すなわち、側面ブロック１１は正面側からスリット溝１３，１３に底面部８ａ，８ｂを嵌入し、該側面ブロック１１を側面部６に当接して取付けられる。同じく、正面ブロック１０は正面部５の下端に当接する。
【００１９】
図４はベース部材２を表していて、(ａ)は両側面ブロック１１，１１が閉じている正面側からの斜視図、(ｂ)は両側面ブロック１１，１１が開いた状態、(ｃ)は両側面ブロック１１，１１は閉じている状態の底面側からの斜視図、(ｄ)は両側面ブロック１１，１１が閉じてロックされている場合を夫々示している。一方の側面ブロック１１の先端にはツメ１４が設けられ、このツメ１４は他方の側面ブロック１１の先端に設けた係止部１５に係止することでロックされる。
【００２０】
図５はカバーシート３を示している具体例であり、該カバーシート３はコ形を成し、正面部１６と両側面部１７，１７を有している。ところで、このカバーシート３は、その正面部１６が外側部１の正面部５に、側面部１７，１７が外側部１の側面部６，６に重なり合わせると共に、先端縁１８，１８を側面部６，６の縁に溶着される。
【００２１】
図６は図２に示す外側部１の下端にベース部材２を取付け、表面にはカバーシート３を張り付けた場合である。(ａ)は正面側からの斜視図、(ｂ)は背面側からの斜視図を示している。これが本発明のレンタル用カバーケースであり、上端の開口１９からコミック雑誌４を入れて収容することが出来る。
【００２２】
図７はレンタル用カバーケースに表紙２０を挿入する場合を示し、(ａ)は正面側からの斜視図、(ｂ)は内面側からの斜視図を夫々表している。同図に示すように、両側面部６，６を開くならばカバーシート３はダブ付いて側面部６，６との間に隙間(空間)が形成され、この隙間に同図のように上方から表紙２０を挿入することが出来る。正しく挿入したところで両側面部６，６を閉じるならば、表紙２０はカバーシート３と側面部６，６に挟まれて外れないようになる。両側面部６，６を閉じると共に、ベース部材２も閉じられ、ツメ１４は係止部１５に係止してロックされる。
【００２３】
ただし、ベース部材２だけがロックされたのでは外側部１の上端側が開く為に、背面部７ａ，７ｂの上端部には連結片９ａ，９ｂが設けられ、この連結片９ａ，９ｂに図８に示すカギ２１を掛けて固定する。カギ２１は両アーム２３ａ，２３ｂを有す概略コ形を成し、一方のアーム２３ｂの先端には係止部２２を設けている。
【００２４】
図９は上記連結片９ａ，９ｂに上記カギ２１を掛けてロックした場合である。連結片９ａは背面部７ａの先端縁から外方向へ垂直に挟持片を起立し、同じく連結片９ｂは背面部７ｂの先端縁から外方向へ垂直に挟持片を起立し、上記カギの両アーム２３ａ，２３ｂによって互いに当接した連結片９ａ，９ｂの両挟持片を挟み込むことが出来る。アーム２３ａ，２３ｂにはバネ性があって、両挟持片を挟み込むと共に、該挟持片の下端が係止部２２に係止することで、独りでに外れることはない。
【図面の簡単な説明】
【００２５】
【図１】本発明にかかるレンタル用カバーケースにコミック雑誌が収容されている場合。
【図２】レンタル用カバーケースを構成する外側部。
【図３】レンタル用カバーケースを構成するベース部材。
【図４】レンタル用カバーケースを構成するベース部材。
【図５】外側部表面に張着されるカバーシート。
【図６】本発明のレンタル用カバーケースの実施例。
【図７】レンタル用カバーケースに表紙を挿入する場合。
【図８】レンタル用カバーケースをロックするカギの具体例。
【図９】レンタル用カバーケースの背面に鍵を取付けた場合。
【図１０】従来のレンタル用カバーケース。
【図１１】従来のレンタル用カバーケースの展開図。
【符号の説明】
【００２６】
１  外側部
２  ベース部材
３  カバーシート
４  コミック雑誌
５  正面部
６  側面部
７  背面部
８  底面部
９  連結片
10  正面ブロック
11  側面ブロック
12  ヒンジ
13  スリット溝
14  ツメ
15  係止部
16  正面部
17  側面部
18  先端縁
19  開口
20  表紙
21  カギ
22  係止部
23  アーム
【図１】
0005150359.tif 000002
【図２】
0005150359.tif 000003
【図３】
0005150359.tif 000004
【図４】
0005150359.tif 000005
【図５】
0005150359.tif 000006
【図６】
0005150359.tif 000007
【図７】
0005150359.tif 000008
【図８】
0005150359.tif 000009
【図９】
0005150359.tif 000010
【図１０】
0005150359.tif 000011
【図１１】
0005150359.tif 000012